(57)【特許請求の範囲】
【請求項１】
テレビジョンの放送中に用いられ、プロンプター表示部に対する表示処理を行うプロンプターの画像表示処理装置において、
原稿画像と放送中の画像とを同一画面内に表示するための処理をする二画像処理手段と、
この二画像処理手段により得られた二画像、放送中の画像及び原稿画像のいずれかを切り替えて上記表示部へ出力するための切替え処理回路と、
これらの３種類の画像の中の１つを選択するための選択操作部と、を設けたことを特徴とするプロンプターの画像表示処理装置。
【請求項２】
上記二画像処理手段は、放送中の画像信号の振幅を全体的に下げ、この小さくした放送画像信号に原稿の画像信号をスーパーインポーズにより重ねることを特徴とする上記第１請求項記載のプロンプターの画像表示処理装置。
【請求項３】
上記二画像処理手段は、原稿を表示した画面の一部を切り抜き、この切抜き部に放送中の画像をはめ込む処理をすることを特徴とする上記第１請求項記載のプロンプターの画像表示処理装置。
【発明の詳細な説明】
【０００１】
【産業上の利用分野】
本発明はプロンプターの画像表示処理装置、特にニュースキャスター等が読む原稿だけでなく、放送中の画像も表示することができるプロンプター装置の表示処理の構成に関する。
【０００２】
【従来の技術】
テレビカメラによる放送等では、テレビカメラの近傍に表示部を配置したプロンプター装置が用いられており、このプロンプター装置は、ニュースキャスター、司会者、出演者等に読ませる各種の原稿を表示することができる。そして、この種のプロンプター装置では、上記原稿を表示するだけでなく、放送中の画像（映像）も切替え操作により選択的に表示できるようになっている。
【０００３】
図７には、従来のプロンプターの画像表示（画像切替え）処理装置の構成が示されており、図７に示されるように、例えばニュースキャスター側に配置された操作部１には、原稿画像を選択するスイッチ２、放送中（ＯＮ  ＡＩＲ）の画像を選択するスイッチ３が設けられる。この操作部１は、ビデオセレクター４に接続されており、このビデオセレクター４には、端子５から原稿用カメラで撮影された原稿のビデオ信号が供給され、また端子６からオンエアのビデオ信号がテレビカメラ等から供給される。そして、これらのビデオ信号を選択するための切替え回路７が設けられ、この切替え回路７の端子ｃ，ｄが上記操作部１からの制御信号によって切り替えられる。
【０００４】
上記の画像切替えの構成によれば、ニュースキャスター等が操作部１のスイッチ２を押し操作すると、ビデオセレクター４内では、切替え回路７が端子ｃ側へ切り替えられ、原稿のビデオ信号が出力端子８からプロンプター表示部へ供給されることになり、原稿がこの表示部に表示される。一方、操作部１のスイッチ３を押した場合は、上記切替え回路７が端子ｄ側へ切り替えられ、オンエアのビデオ信号が出力端子８へ出力され、表示部にはオンエアの画像が表示される。従って、ニュースキャスター等は操作部１により読むための原稿とオンエアの画像とを適宜選択できるようになっている。
【０００５】
【発明が解決しようとする課題】
しかしながら、従来のプロンプター装置では、原稿を読みながら、必要に応じてオンエアの画像を確認できるが、オンエア画像を表示している間は原稿を見ることができないため、上記操作部１での表示画像の切替えが比較的短時間に行われることになり、操作が煩雑となる場合があった。特に、放送中の場面や内容が目まぐるしく変る場合には、画像の切替えも頻繁に行わなければならず、原稿の表示機能が十分に発揮されないという問題があった。
【０００６】
本発明は上記の点に鑑みてなされたものであり、その目的は、原稿とオンエアの画像切替えを頻繁に行うことなく、これら両画像を同時に見ることができるプロンプターの画像表示処理装置を提供することにある。
【０００７】
【課題を解決するための手段】
上記目的を達成するために、第１請求項の発明は、テレビジョンの放送中に用いられ、プロンプター表示部に対する表示処理を行うプロンプターの画像表示処理装置において、原稿画像と放送中の画像とを同一画面内に表示するための処理をする二画像処理手段と、この二画像処理手段により得られた二画像、放送中の画像及び原稿画像のいずれかを切り替えて上記表示部へ出力するための切替え処理回路と、これらの３種類の画像の中の１つを選択するための選択操作部と、を設けたことを特徴とする。
第２請求項記載の発明は、上記二画像処理手段において、放送中の画像信号の振幅を全体的に下げ、この小さくした放送画像信号に原稿の画像信号をスーパーインポーズにより重ねることを特徴とする。
第３請求項記載の発明は、上記二画像処理手段において、原稿を表示した画面の一部を切り抜き、この切抜き部に放送中の画像をはめ込む処理をすることを特徴とする。
【０００８】
【作用】
上記の構成によれば、二画像処理手段として、スーパーインポーズの手法を用いた場合は、原稿画像信号から文字部分のスーパーインポーズ信号が形成され、このスーパーインポーズ信号は例えば白色の信号とされる。一方、放送中の画像信号はその振幅を小さくするこにより、輝度が下げられ、この輝度が下がった画像信号にスーパーインポーズ信号が重ね合わせられる。そうすると、通常よりも淡く灰色がかって表示された放送画像の上に、白色の原稿文字が表示されることになる。
【０００９】
また、一部はめ込み（ピクチャーインピクチャー）の手法を用いることもでき、この場合は、例えばゲートパルスにより原稿画面の一部領域の画像信号がカットされ、このカットした領域に縮小した放送画像がはめ込まれる。そうして、原稿は画面に１枚ずつ表示するのではなく、例えば左右にスクロールさせて表示すれば、カットされた画面領域に表示することになっていた原稿の表示漏れが防止できる。
【００１０】
更に、放送中の画像のみの表示、原稿のみの表示、上記二画像表示のいずれかを適宜選択することができ、放送の種類、場面の状況等に応じて最適な表示状態を得ることが可能となる。
【００１１】
【実施例】
図１には、第１実施例に係るプロンプターの画像表示処理装置の構成が示され、図２には、プロンプター装置を用いる際の全体の構成が示されており、まずこの全体構成から説明する。図２において、原稿１０は原稿用カメラ１１で撮影され、この画像信号（ビデオ信号）は二画像形成回路を含むビデオセレクター１２へ供給されており、他方ではテレビカメラ１４で撮影された、例えばニュースキャスター１５の映像もビデオセレクター１２へ供給される。なお、上記ビデオセレクター１２へ供給する原稿はメモリ等に記憶させたものでもよい。また、テレビカメラ１４で撮影された画像以外の画像が放送されている場合は、この画像が同一の入力端子からビデオセレクター１２へ供給される。
【００１２】
そして、上記テレビカメラ１４の前面側に、取付け部材によりプロンプター表示部１６が設けられ、この表示部１６の上側表示面の上方には、表示画像をニュースキャスター１５側へ反射させるハーフミラー１７が配置される。なお、プロンプター表示部１６の前側には、点灯ランプ１８が配置されており、この点灯ランプ１８により当該テレビカメラ１４の撮影画像が放送中であることを示すことになる。また、ニュースキャスター１５の机の上に、上記ビデオセレクター１２へ接続された操作部２０が配置される。
【００１３】
図１に示されるように、上記操作部２０は原稿画像を選択するスイッチ２１、オンエア画像を選択するスイッチ２２及び二画像を選択するスイッチ２３を有している。また、上記ビデオセレクター１２では、原稿ビデオ信号の入力端子２４、オンエアビデオ信号の入力端子２５が配置され、上記入力端子２４側には、原稿ビデオ信号から同期信号を分離する同期分離回路２６とスーパーインポーズ信号発生回路２７が接続される。このスーパーインポーズ信号発生回路２７は、原稿画像の中から文字部分のみの文字スーパーインポーズ信号を形成することができる。
【００１４】
また、上記入力端子２５には、オンエアビデオ信号の振幅を下げるレベルシフト回路２８が接続され、このレベルシフト回路２８と上記スーパーインポーズ信号発生回路２７の後段に、これらの出力信号を混合する混合回路３０が設けられている。この混合回路３０には、白レベルの信号を設定する白レベル設定器３１が接続されており、この白レベル設定器３１により、スーパーインポーズ信号を白色でオンエアビデオ信号に混合するようになっている。もちろん、このスーパーインポーズ信号の色はその他の色でもよい。
【００１５】
更に、ビデオセレクター１２の出力端子３２に、上記操作部２０の制御信号により切り替えられる切替え回路３３が接続されており、この切替え回路３３のｃ端子に原稿ビデオ信号、ｄ端子にオンエアビデオ信号、ｅ端子に上記混合回路３０で混合された二画像のビデオ信号が供給される。そして、この切替え回路３３は、操作部２０のスイッチ２１，２２，２３の動作に応じて上記の各ビデオ信号のいずれかを選択することになる。
【００１６】
第１実施例は以上の構成からなり、次に図３及び図４に基づいてその作用を説明する。まず、放送中に図２のテレビカメラ１４でニュースキャスター１５を映し出しているときは、このテレビカメラ１４からのビデオ信号がビデオセレクター１２へ供給され、また他のテレビカメラの画像や録画が放送されている場合は、そのビデオ信号がビデオセレクター１２へ供給される。このビデオ信号は、例えば図３（Ａ）の信号となる。図１のビデオセレクター１２内では、上記ビデオ信号の振幅（レベル）がレベルシフト回路２８で下げられ、図３（Ｂ）に示される信号となり、輝度が低下した淡い灰色のビデオ信号となる。
【００１７】
一方、図２の原稿用カメラ１１では、原稿１０が撮影されており、図３（Ｃ）に示されるような原稿のビデオ信号もビデオセレクター１２へ供給される（この原稿ビデオ信号は、予め録画されたもの、メモリ等へ記憶されたものでもよい）。そして、この原稿ビデオ信号が図１のスーパーインポーズ信号発生回路２７へ供給されると、同期分離回路２６からの同期信号に基づいて図３（Ｄ）に示されるように、文字部分のみのスーパーインポーズ信号が得られる。
【００１８】
その後、上記のレベルシフトされたオンエアビデオ信号と文字部分のみのスーパーインポーズ信号は、混合回路３０へ供給される。この混合回路３０では、スーパーインポーズ信号がＨｉｇｈ出力のときに、ｂ端子側から白レベルの信号がオンエアビデオ信号の上に重畳することになり、混合回路３０からは図３（Ｅ）に示される二画像混合のビデオ信号が出力される。
【００１９】
そして、操作部２０によりスイッチ２１が押されたときは、上記切替え回路３３では端子ｃに接続されるので、原稿のビデオ信号が出力端子３２から図２のプロンプター表示部１６へ供給され、ハーフミラー１７には原稿のみが表示される。また、スイッチ２２が押されたときは、切替え回路３３では端子ｄに切り替えられるので、オンエアのビデオ信号が上記表示部１６へ供給され、ハーフミラー１７にはオンエア画像のみが表示される。
【００２０】
更に、スイッチ２３が押されたときは、切替え回路３３の端子ｅに切り替えられるので、上述した混合回路３０からの二画像のビデオ信号が上記表示部１６へ供給され、ハーフミラー１７には図４に示した画像が表示される。この二画像は、図示されるように、放送中の淡く灰色がかった画像の上に、白い原稿の文字が鮮明に表示されたものとなる。このようにして、同一の表示部画面に二画像が表示されることになり、この二画像表示によれば、オンエア画像を確認しながら、原稿を読むことが容易にでき、従来のように選択スイッチ（２，３）を頻繁に操作する必要もない。
【００２１】
図５及び図６には、第２実施例の構成が示されており、この第２実施例は二画像をピクチャーインピクチャーの手法で形成したものである。即ち、第２実施例のビデオセレクター３５には、ピクチャーインピクチャーの画像合成をする画像合成回路３６及びゲートパルス発生回路３７が設けられている。そして、上記画像合成回路３６に、入力端子２４，２５から入力された原稿ビデオ信号とオンエアビデオ信号が供給され、上記ゲートパルス発生回路３７に上記原稿ビデオ信号が供給される。
【００２２】
このような第２実施例の構成によれば、上記ゲートパルス発生回路３７において、原稿ビデオ信号から分離した同期信号から図６に示される、原稿画面の左側下部の領域Ｆを切り抜くためのゲートパルスが形成され、このゲートパルスが画像合成回路３６へ供給される。この画像合成回路３６では、上記ゲートパルスにより図６に示した領域Ｆが切り抜かれ、この領域Ｆにオンエアビデオ信号から形成したオンエア縮小画像がはめ込まれ、ピクチャーインピクチャーの二画像が形成される。そして、上記第１実施例と同様に、図１の操作部２０からの制御信号が切替え回路３３へ供給されており、スイッチ２３が押されて端子ｅに切り替えられると、上記画像合成回路３６で合成された二画像が図６のようにハーフミラー１７へ表示される。
【００２３】
また、第２実施例では、原稿の文字が右方向５０にスクロールするように構成している。即ち、図２の原稿１０を送り装置等で左右に移動させながら原稿用カメラ１１で撮影することにより、文字列をスクロールさせることができる。これによれば、領域Ｆによって隠れてしまう文字列も右側へスクロールすることにより、ニュースキャスター等に読ませることが可能となる。
【００２４】
上記第２実施例では、原稿を表示した画面の中にオンエア画像をはめ込むようにしたが、オンエア画像を全体に表示した画面に原稿画像をはめ込むようにしてもよい。
【００２５】
【発明の効果】
以上説明したように、本発明によれば、原稿を表示するプロンプターの画像表示処理装置において、例えばスーパーインポーズ手法或いはピクチャーインピクチャー手法による二画像処理手段により、原稿画像と放送中の画像とを同一画面内に表示するようにしたので、従来のように原稿とオンエアの画像切替えを頻繁に行うことなく、ニュースキャスター等はオンエア画像を見ながら、容易に原稿を読むことが可能となる。
【００２６】
また、上記の二画像、放送中の画像及び原稿画像のいずれかを選択的に表示部へ表示できるようにしたので、放送の種類、場面の状況等に応じて最適な表示状態を得ることができ、しかもニュースキャスター等の個性に合った操作方法を選ぶことができ、使い勝手の良い装置を得ることが可能となる。
【図面の簡単な説明】
【図１】本発明の第１実施例に係るプロンプターの画像表示処理装置の構成を示す回路図である。
【図２】第１実施例のプロンプター装置をテレビカメラに適用した場合の全体構成を示す図である。
【図３】第１実施例のビデオセレクター内の二画像形成動作を示す波形図である。
【図４】第１実施例のプロンプター表示部における二画像の表示状態を示す図である。
【図５】第２実施例のビデオセレクターの構成を示す図である。
【図６】第２実施例のプロンプター表示部における二画像の表示状態を示す図である。
【図７】従来のプロンプターの画像表示処理装置の構成を示す図である。
【符号の説明】
１，２０  …  操作部、
２，３，２１，２２，２３  …  スイッチ、
４，１２，３５  …  ビデオセレクター、
１６  …  プロンプター表示部、
１７  …  ハーフミラー、
２６  …  同期分離回路、
２７  …  スーパーインポーズ信号発生回路、
２８  …  レベルシフト回路、
３０  …  混合回路、
３３  …  切替え回路、
３６  …  画像合成回路、
３７  …  ゲートパルス発生回路。
【図１】
0003548271.tif 000002
【図２】
0003548271.tif 000003
【図３】
0003548271.tif 000004
【図４】
0003548271.tif 000005
【図５】
0003548271.tif 000006
【図６】
0003548271.tif 000007
【図７】
0003548271.tif 000008